(57)【要約】【課題】  冷たい飲み物を容れた容器に巻きつけて水滴のしたたれを防止し、テーブルや着ている服への落下付着を防ぐとともに、氷が解けて飲み物の薄まる時間や飲み物の冷たさの持続時間を延長させることができる巻きつけコースター（使い捨て）を提供する。【解決手段】  空気や水分の遮断性と被圧縮性の機能を持つアルミ箔（２）を断熱性や吸水性を持つ紙（３）で挟み込んで三層とし、これの右端部に粘着テープ（４）を設けた巻きつけコースター（使い捨て）（１）を特徴とする。【選択図】図１
2013132546.tif 000002
【特許請求の範囲】
【請求項１】
容器の表面の下部から１／３乃至４／５までを覆うことにより、空気や水分の移動を遮断し、圧縮すれば縮みその形を維持する機能を持つ薄いアルミ箔を、空気の層を作って断熱性をもたせるためエンボス加工した吸水性のある柔らかい紙で挟み込んで三層とし、これの右端部に粘着テープ２乃至３か所（吸水断熱帯の幅の広さに依る）を設け、これにより容器に固定させることを特徴とする巻きつけコースター。
【請求項２】
コストは高くてももっと高級感があり、手に持った時の感触を格段に向上させたい時は、表側の紙の上に色彩、模様の奇麗な薄い布を張り合わせるか、あるいは表側の紙を上質で見た目の良いものに替えれば良く、それらに替えたことを特徴とする請求項１に記載の巻きつけコースター。
【請求項３】
紙だけで構成させても良く、その場合は紙をエンボス加工及び圧縮処理を予めしておき、厚さにも依るが２乃至３枚を張り合わせたことを特徴とする請求項１に記載の巻きつけコースター。
【発明の詳細な説明】
【技術分野】
【０００１】  この発明は、冷たい飲み物を容れたジョッキ、グラス、コップ、ビール瓶などに巻きつけて、水滴のしたたれを防止したり、氷が解けて飲み物が薄まる時間や飲み物の冷たさの持続時間を延長させることができる巻きつけコースター（使い捨て）に関するものである。
【背景技術】
【０００２】  従来、コースターは冷たい飲み物を容れたジョッキ、グラス、コップ、ビール瓶などの下に敷き、余分な水滴を吸い取って、容器などを持ち上げた時、水滴がしたたれ落ちるのを防ぐことにあった。しかし、これでは不十分であったため布巾、紙ナプキン、おしぼりなどで結露した容器の表面を拭き取るのがせいぜいであったし、着ている服や食べ物の上に落ちたり、テーブルの上を濡らすのを完全に防ぐことはできなかった。
【先行技術文献】
【特許文献】
【０００３】
【特許文献１】  実公平３−１７７２５号公報
【特許文献２】  特開２００４−８９６６４号公報
【特許文献３】  実開平７−２０９４１号公報
【特許文献４】  特開２０１１−１４７７４２号公報
【発明の概要】
【発明が解決しようとする課題】
【０００４】  これは次のような欠点があった。
従来、コースターは、冷たい飲み物を容れた容器（ジョッキ、グラス、コップ、ビール瓶など）の表面からしたたれ落ちた水滴を受けるために、その下に敷いて使用するものである。コースターには、重くて吸水性のないガラス製・金属製のものから軽くて吸水性のある紙製・布製のものまである。
しかし、このような容器の下に敷いて使用するコースターは、吸水性のないコースターでは水滴が溜まり、容器を持ち上げた時に水滴がしたたれ落ちて、着ている服を汚してしまうことになる。吸水性のあるコースターでも吸収しきれなくなると容器を持ち上げた時に水滴がしたたれることになる。また、軽いコースターは、容器を持ち上げた時に容器に貼りついて一緒に持ち上がってしまうことがよくある。
また、容器には取っ手の付いたジョッキ、上下の太さが違ったり下部が丸みを帯びたグラス、コップ、ビール瓶など様々な物があり、これら全部に対し使用可能なものが必要である。更に、容器に付着した水滴がしたたれ落ちて問題になるのは、居酒屋・レストラン・スナックなどの飲食店、立食パーティーなどの場合が多いが、自宅の場合でも来客時には問題になるし、個々人誰でも困っているものである。特に、飲食店などでは紙ナプキンなどと同様に無料で提供できる程度のコストでなければ採用できないし、種類が沢山あっても対応できない。
本発明は、以上のような欠点を無くすためになされたものである。
【課題を解決するための手段】
【０００５】  空気や水分の移動を遮断し、圧縮すれば縮みその形を維持する機能を持つ薄いアルミ箔（２）を、空気の層を作って断熱性をもたせるためエンボス加工した吸水性のある柔らかい紙（３）で挟み込み三層とする。これの右端部に粘着テープ（４）を２乃至３か所（吸水断熱帯の幅の広さに依る）設け、これにより容器（５）に固定させる。先ず吸水断熱帯（巻きつけコースター本体）（１）を容器（５）にしっかりと巻きつけて、一番上の粘着テープ（４）で吸水断熱帯（５）に貼り合わせて留める。
次に、粘着テープ（４）の２乃至３か所目を順次貼り合わせ、最後に両手で容器（５）を包み込むように抑えつければアルミ箔（２）が容器（５）の形に縮み込み紙（３）も同時に縮み込まれ、そのままの形を維持してくれる。
容器（５）の表面の下部から１／３乃至４／５までを覆うように、吸水断熱帯（１）を巻きつけるだけで良く、どんな形の容器（５）にも対応可能で、取っ手付きか、大きいか小さいかの違いを区別して製品を用意すれば事は足りる。
本発明は、以上の構成よりなる巻きつけコースター（使い捨て）である。【０００６】  なお、先行技術文献の特許文献１，２，３はいろいろな形の容器に対応するには沢山の種類のものを用意せざるを得ず、下部が丸みを帯びたグラスには対応できそうにないし、最も使用する場面の多い大衆居酒屋、スナックなどで使い捨てとして使用するにはコストが掛かり過ぎると思われる。特許文献４は自分が以前特許申請したもので、これを改善・発展させたのが今回の巻きつけコースター（使い捨て）である。
【発明の効果】
【０００７】  冷たい飲み物を容れた容器の表面に水滴が付くのは、容器の表面に接触した空気が冷やされ、空気中の水分が水滴となって容器の表面に付着するためである。容器の表面と空気との接触面を少なくすればするほど、あるいは断熱性のある物を間に介在させれば水滴の発生は防げることになる。
容器の表面の下部から１／３乃至４／５までを巻きつけコースターで覆えば、水滴の発生を抑えられ、発生した場合にも素早く吸収することができる。また、空気との接触を遮断することにより保冷効果が生じ氷が解けるのが遅くなり、飲み物の薄まる時間や冷たさの持続する時間を延長させることができる。
通常、飲食店などで飲食する場合は２〜３時間程度のものである。その程度であれば十分に吸水能力は保てるであろうし、駄目であれば新しいものに変えれば良い。ジョッキやグラスなどでは容器が替わる毎に変える必要がある。この巻きつけコースターは使い捨てタイプでコストもかなり安いのでそれができる。
この巻きつけコースターを使用すれば、着ている服や食べ物の上、テーブルの上を濡らすのを完全に防ぐことができる。また、グラスやコップなどに巻きつけた巻きつけコースターの部分を持てば指や手に水滴が付くこともなく快適だし、滑らして落とすことも無くなる。
この巻きつけコースターは使い捨てタイプのため、回収して廃棄すれば良く、非常に衛生的であり、次に使うための処置をしなくて済む。これまで従来のコースターを使用していた飲食店では時間と労力の節約になる。
この巻きつけコースターは容器への巻きつけがとても簡単で、中身が入った状態でも巻きつけることができるため、巻きつけコースターを、お客が自分で巻きつけるようにすれば良く、店側の手間暇はかからない。
【発明を実施するための最良の形態】
【０００８】  以下、本発明を実施するための最良の形態について説明する。
吸水性と断熱性のある吸水断熱帯（１）は、空気や水分の移動を遮断し、圧縮すれば縮みその形を維持する機能を持つ薄いアルミ箔（２）を、空気の層を作って断熱性をもたせるためエンボス加工した吸水性のある柔らかい紙（３）で挟み込み三層とする。これの右端部に粘着テープ２乃至３か所（吸水断熱帯の幅の広さに依る）（４）を設け、これにより容器（５）に固定させる。先ず吸水断熱帯（巻きつけコースター本体）（１）を容器（５）にしっかりと巻きつけて、一番上の粘着テープ（４）で吸水断熱帯（１）に貼り合わせて留める。
次に、粘着テープ２乃至３か所目（４）を順次貼り合わせ、最後に両手で容器（５）を包み込むように抑えつければアルミ箔（２）が容器（５）の形に縮み込み紙（３）も同時に縮み込まれ、そのままの形を維持してくれる。
容器（５）の表面の下部から１／３乃至４／５までを覆うように、吸水断熱帯（１）を巻きつけるだけで良く、どんな形の容器（５）にも対応可能で、取っ手付きか、大きいか小さいかの違いを区別して製品を用意すれば事は足りる。
また、アルミ箔（２）は圧縮してその形を維持できる程度のもので良く、紙（３）はエンボス加工されたキッチンペーパー程度のもので良く、これであればかなり安いコストで製品化できる。【０００９】  図１に示すように、一番上の粘着テープ（４）は、吸水断熱帯（巻きつけコースター本体）（１）に固定させるための重要な部分であり、長さや幅は他の粘着テープ（４）よりも大きくする必要がある。図２に示すように、取っ手（６）付きの場合には吸水断熱帯（１）を巻きつけて固定させる時に、取っ手（６）が邪魔になるので吸水断熱帯（１）の長さを調節して取っ手（６）の部分は空ける形に作る必要がある。この時、一番上の粘着テープは（４）より若干長くした（４’）にする必要がある。
図３、図４に示すように、取っ手（６）の無い場合には、吸水断熱帯（１）は１〜２ｃｍ程度重なるように長さを調整した方が巻きつけて固定させる時に容易である。【００１０】  更に、料亭、高級スナック、自宅での来客などでは、コストは高くてももっと高級感のあるものが欲しくなる。その場合には表側の紙の上に色彩、模様の奇麗な薄い布を張り合わせるか、あるいは表側の紙を上質で見た目の良いものに替えれば良く、高級感や手に持った時の感触が格段に向上する。【００１１】  なお、紙だけで構成させても良く、その場合は紙をエンボス加工及び圧縮処理を予めしておき、厚さにも依るが２乃至３枚を張り合わせれば上記に近い効果を出せる。空気の層を作ることと巻きつけて圧縮した時にその形を維持できることが必要である。
但し、ジョッキやビール瓶のような上部と下部の太さが余り変わらないものには、圧縮処理をしていない紙でも十分に利用できる。
その他、本願の発明の要旨を変更しない範囲において種々の変更が可能である。
【図面の簡単な説明】
【００１２】
【図１】本発明の斜視図である。
【図２】本発明の使用時正面図（取っ手付きの場合）である。
【図３】本発明の使用時正面図（取っ手がない場合）である。
【図４】本発明の使用時正面図（上部が太く下部が細い場合）である。
【符号の説明】
【００１３】１    吸水断熱帯（巻きつけコースター本体）
２    アルミ箔
３    紙
４    粘着テープ
５    容器
６    取っ手
【図１】
2013132546.tif 000003
【図２】
2013132546.tif 000004
【図３】
2013132546.tif 000005
【図４】
2013132546.tif 000006